(57)【要約】【課題】青果物の鮮度を制御しつつ、より長期間保存することのできる青果物の保存装置及び保存方法を提供することを目的とする。【解決手段】  包装体に収容された青果物を収容する保存部と、該保存部にガスを供給するガス供給部と、前記保存部からガスを排出するガス排出部と、前記青果物の鮮度を経時的に記録する記録部と、前記記録部により記録された前記青果物の前記鮮度に基づいて、前記保存部内の気体組成及び／又は温度を経時的に制御する制御部と、を備える、青果物の保存装置。【選択図】図１
2019004724.tif 000002
【特許請求の範囲】
【請求項１】
包装体に収容された青果物を収容する保存部と、
該保存部にガスを供給するガス供給部と、
前記保存部からガスを排出するガス排出部と、
前記青果物の鮮度を経時的に記録する記録部と、
前記記録部により記録された前記青果物の前記鮮度に基づいて、前記保存部内の気体組成及び／又は温度を経時的に制御する制御部と、を備える、
青果物の保存装置。
【請求項２】
前記包装体の少なくとも一部に、２３℃における酸素透過度が、２×１０3〜７×１０5ｃｃ／ｍ2・ｄａｙ・ａｔｍであり、２３℃における二酸化炭素透過度が、４×１０3〜７×１０5ｃｃ／ｍ2・ｄａｙ・ａｔｍであり、前記酸素透過度に対する前記二酸化炭素透過度の比が、１０以下であるガス透過制御フィルムを備える、
請求項１に記載の青果物の保存装置。
【請求項３】
前記ガス透過制御フィルムの２３℃における水蒸気透過度が、２〜２００ｍｇ／ｄａｙ・ｍ2である、
請求項２に記載の青果物の保存装置。
【請求項４】
前記記録部が、前記ガス供給部により供給した供給ガス量と前記ガス排出部により排出した排出ガス量に基づいて前記青果物が吸収又は放出したガス量を経時的に記録することにより、前記青果物の前記鮮度を経時的に記録するものである、
請求項１〜３のいずれか１項に記載の青果物の保存装置。
【請求項５】
前記記録部が、前記包装体内の気体組成の経時的な変化に基づいて、前記青果物の前記鮮度を経時的に記録するものである、
請求項１〜４のいずれか１項に記載の青果物の保存装置。
【請求項６】
前記制御部が、前記保存部内の気体組成及び／又は温度を経時的に制御することにより、前記包装体内の気体組成及び／又は温度を経時的に制御するものである、
請求項１〜５のいずれか１項に記載の青果物の保存装置。
【請求項７】
前記ガスが、空気、酸素ガス、二酸化炭素ガス、炭酸ガス、窒素ガス、エチレンガス、エタノールガス、及び酢酸エチルガスからなる群より選ばれる少なくとも１種以上を含む、
請求項１〜６のいずれか１項に記載に記載の青果物の保存装置。
【請求項８】
前記記録部は、前記保存部内及び／又は前記包装体内の温度も経時的に記録するものである、
請求項１〜７のいずれか１項に記載の青果物の保存装置。
【請求項９】
包装体内に収容された状態で保存部に収容された青果物の鮮度を経時的に記録する記録工程と、
記録された前記青果物の前記鮮度に基づいて、前記保存部内の気体組成及び／又は温度を経時的に制御する制御工程と、を有する、
青果物の保存方法。
【請求項１０】
前記記録工程が、前記保存部に供給した供給ガス量と前記保存部から排出した排出ガス量に基づいて前記青果物が吸収又は放出したガス量を経時的に記録することにより、前記青果物の前記鮮度を経時的に記録する工程である、
請求項９に記載の青果物の保存方法。
【請求項１１】
前記記録工程が、前記青果物の前記包装体内の気体組成の経時的な変化に基づいて、前記青果物の鮮度を経時的に記録する工程である、
請求項９又は１０に記載の青果物の保存方法。
【請求項１２】
前記制御工程が、前記保存部内の前記気体組成及び／又は前記温度を経時的に制御することにより、前記包装体内の気体組成及び／又は温度を経時的に制御するものである、
請求項９〜１１のいずれか１項に記載の青果物の保存方法。
【発明の詳細な説明】
【技術分野】
【０００１】
本発明は、青果物の保存装置及び保存方法に関する。
【背景技術】
【０００２】
青果物は収穫後、流通過程にのり、食卓へ届けられる。一般的に青果物は熟したものほど美味しく、栄養価も高い傾向にある。そこで、特許文献１には、従来から行われている青果物の流通過程における追熟処理を省略し、収穫後の新鮮な青果物をできるだけ早く購入者・消費者の手元に到達させるとともに、購入者・消費者が自らの嗜好などに合わせて簡便に熟成を行って、適宜食べ頃の青果物を入手することを可能にすることを目的として、所定のガス雰囲気下において、雰囲気温度を変化させることによって農産物を熟成させる熟成方法が開示されている。
【０００３】
一方で、青果物は熟期が短いものが少なくなく、保存方法が確立されている青果物であれば、通年に亘り入手することができるが、傷みやすい青果物は保存方法が充分に確立されているとはいえない。特に青果物は、肉や魚と比較して水分率が高く、また、細胞膜の水透過係数が動物より低いため、凍結をすると細胞が破壊されやすく、肉や魚に用いるような凍結保存に適さない。また、保冷庫を用意したとしても、その鮮度を長期間保持することは容易ではなく、収穫から消費されるまでの期間が長い場合には、鮮度を保持することが困難である。
【０００４】
そこで、包装袋により青果物鮮度を保持する技術が知られている（特許文献２）。
【先行技術文献】
【特許文献】
【０００５】
【特許文献１】特開２００４−１５９５１９号公報
【特許文献２】特開２０１５−０３７９７２号公報
【発明の概要】
【発明が解決しようとする課題】
【０００６】
青果物の鮮度をより長期間保持することができる青果物の保存方法が確立されれば、新たな価値を創出することができる。例えば、数日間しか鮮度保持ができない青果物を、保存技術により十数日間鮮度保持ができるとすれば、青果物をより新鮮な状態で消費者に届けることが可能となるし、鮮度低下により廃棄せざるを得ない青果物の量を減少させることも想定される。また、保存技術が確立されれば、輸送に日数がかかる地域へ青果物を供給することも可能となり、比較的に美味しいとされる日本の青果物の輸出量も増大すると考えられる。さらに、従来入手が困難な時期にも青果物が入手できるとすれば、新たな需要創出も期待できる。
【０００７】
ところで、一般的に青果物は、収穫後も呼吸をつづけており、その呼吸が活発に行われる条件下に置かれることにより劣化し、鮮度が低下しやすいとされる。青果物の呼吸は、大気よりも適度な低酸素、高二酸化炭素環境下である場合に抑制されることが知られている。しかし、特許文献２のように、貫通孔を設けたフィルムからなる青果物鮮度保持包装袋では、貫通孔を介して酸素及び二酸化炭素が自由に（非選択的に）通過し得るため、酸素濃度を低下させ、かつ二酸化炭素濃度を増加させるという制御が十分に行われるとは言い難い状況にある。
【０００８】
本発明は、上記問題点に鑑みてなされたものであり、青果物の鮮度を制御しつつ、より長期間保存することのできる青果物の保存装置及び保存方法を提供することを目的とする。
【課題を解決するための手段】
【０００９】
本発明者らは、上記課題を解決するために鋭意検討をした。その結果、青果物の鮮度を検出、記録し、記録された青果物の鮮度に基づいて、青果物が収容される保存部内の環境を経時的に制御することにより、上記課題を解決できることを見出し、本発明を完成するに至った。
【００１０】
すなわち、本発明は以下のとおりである。
〔１〕
包装体に収容された青果物を収容する保存部と、
該保存部にガスを供給するガス供給部と、
前記保存部からガスを排出するガス排出部と、
前記青果物の鮮度を経時的に記録する記録部と、
前記記録部により記録された前記青果物の前記鮮度に基づいて、前記保存部内の気体組成及び／又は温度を経時的に制御する制御部と、を備える、
青果物の保存装置。
〔２〕
前記包装体の少なくとも一部に、２３℃における酸素透過度が、２×１０3〜７×１０5ｃｃ／ｍ2・ｄａｙ・ａｔｍであり、２３℃における二酸化炭素透過度が、４×１０3〜７×１０5ｃｃ／ｍ2・ｄａｙ・ａｔｍであり、前記酸素透過度に対する前記二酸化炭素透過度の比が、１０以下であるガス透過制御フィルムを備える、
前項〔１〕に記載の青果物の保存装置。
〔３〕
前記ガス透過制御フィルムの２３℃における水蒸気透過度が、２〜２００ｍｇ／ｄａｙ・ｍ2である、
前項〔２〕に記載の青果物の保存装置。
〔４〕
前記記録部が、前記ガス供給部により供給した供給ガス量と前記ガス排出部により排出した排出ガス量に基づいて前記青果物が吸収又は放出したガス量を経時的に記録することにより、前記青果物の前記鮮度を経時的に記録するものである、
前項〔１〕〜〔３〕のいずれか１項に記載の青果物の保存装置。
〔５〕
前記記録部が、前記包装体内の気体組成の経時的な変化に基づいて、前記青果物の前記鮮度を経時的に記録するものである、
前項〔１〕〜〔４〕のいずれか１項に記載の青果物の保存装置。
〔６〕
前記制御部が、前記保存部内の気体組成及び／又は温度を経時的に制御することにより、前記包装体内の気体組成及び／又は温度を経時的に制御するものである、
前項〔１〕〜〔５〕のいずれか１項に記載の青果物の保存装置。
〔７〕
前記ガスが、空気、酸素ガス、二酸化炭素ガス、炭酸ガス、窒素ガス、エチレンガス、エタノールガス、及び酢酸エチルガスからなる群より選ばれる少なくとも１種以上を含む、
前項〔１〕〜〔６〕のいずれか１項に記載に記載の青果物の保存装置。
〔８〕
前記記録部は、前記保存部内及び／又は前記包装体内の温度も経時的に記録するものである、
前項〔１〕〜〔７〕のいずれか１項に記載の青果物の保存装置。
〔９〕
包装体内に収容された状態で保存部に収容された青果物の鮮度を経時的に記録する記録工程と、
記録された前記青果物の前記鮮度に基づいて、前記保存部内の気体組成及び／又は温度を経時的に制御する制御工程と、を有する、
青果物の保存方法。
〔１０〕
前記記録工程が、前記保存部に供給した供給ガス量と前記保存部から排出した排出ガス量に基づいて前記青果物が吸収又は放出したガス量を経時的に記録することにより、前記青果物の前記鮮度を経時的に記録する工程である、
前項〔９〕に記載の青果物の保存方法。
〔１１〕
前記記録工程が、前記青果物の前記包装体内の気体組成の経時的な変化に基づいて、前記青果物の鮮度を経時的に記録する工程である、
前項〔９〕又は〔１０〕に記載の青果物の保存方法。
〔１２〕
前記制御工程が、前記保存部内の前記気体組成及び／又は前記温度を経時的に制御することにより、前記包装体内の気体組成及び／又は温度を経時的に制御するものである、
前項〔９〕〜〔１１〕のいずれか１項に記載の青果物の保存方法。
【発明の効果】
【００１１】
本発明によれば、青果物の鮮度を制御しつつ、より長期間保存することのできる青果物の保存装置及び保存方法を提供することができる。
【図面の簡単な説明】
【００１２】
【図１】本実施形態による青果物の保存装置の概略構成を示す模式図である。
【図２】保存状態における包装体内の気体組成の経時変化を模式的に示すグラフである。
【発明を実施するための形態】
【００１３】
以下、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１４】
なお、本明細書における用語の定義を以下に示す。
「青果物」とは、野菜と果物の総称である。
「保存」とは、青果物を収穫してから青果物が小売店において顧客に提供されるまで、又は、青果物を収穫してから青果物が飲食店において顧客に提供されるまでの間において、青果物が所定の容器内に収容されている状態をいい、流通過程も保存に含まれる。
「呼吸」とは、青果物が、気孔等から酸素を取り入れ、二酸化炭素を放出することをいう。呼吸の際には、青果物が保持する水分も放出され得る。
【００１５】
〔青果物の保存装置〕
本実施形態の青果物の保存装置は、包装体に収容された青果物を収容する保存部と、該保存部にガスを供給するガス供給部と、前記保存部からガスを排出するガス排出部と、前記青果物の鮮度を経時的に記録する記録部と、前記記録部により記録された前記青果物の前記鮮度に基づいて、前記保存部内の気体組成及び／又は温度を経時的に制御する制御部と、を備える。
【００１６】
図１に、本実施形態による青果物の保存装置の概略構成を示す模式図を示す。青果物の保存装置１００は、青果物を収容する包装体１０１と、該包装体を収容する保存部１０２と、を有する。保存部１０２には、外部のガスを供給するガス供給部１０３と、保存部１０２からガスを排出するガス排出部１０４とが設けられている。また、本実施形態の青果物の保存装置１００は、青果物の鮮度を経時的に記録する記録部１０５と、記録部１０５により記録された青果物の鮮度に基づいて、保存部１０２内の気体組成及び／又は温度を経時的に制御する制御部１０６と、を備える。包装体の気体透過性能に応じて、包装体１０１内の気体は、包装体１０１外と保存部１０２内の間の空間（以下、「バッファー空間１０７」ともいう）内の気体と交換可能である。これにより、目的とする青果物の種類に応じて、青果物の呼吸量を間接的に制御することができる。例えば、青果物の呼吸量が低い状態で保存することにより、鮮度の上昇が遅くなり、青果物の保存期間を調整することができる。青果物の呼吸量は、保存雰囲気（青果物が吸収又は放出するガスの制御）及び／又は保存温度により制御することができる。なお、本実施形態において、「ガス」とは、気体一般をさす。以下、具体的な装置構成についてさらに説明する。
【００１７】
〔包装体〕
包装体１０１としては、特に制限されず公知のものを用いてもよいが、所定の気体透過性能を有するガス透過制御フィルムを少なくとも一部に備えてもよい。なお、包装体１０１は、ガス透過制御フィルムを一部に含むものであっても、全体をガス透過制御フィルムで構成したものであってもよい。また、ガス透過制御フィルムを一部に含む場合には、その他の部分は気体透過性が低いものが好ましい。さらに、包装体１０１を構成する部材として、温度計、酸素濃度計、及び／又は二酸化炭素濃度計が設けられていてもよいし、包装体１０１内に、これら計器が設置される態様としてもよい。
【００１８】
所定のガス透過制御フィルムを備えることにより包装体内の酸素や二酸化炭素等の濃度調整が図られる。より具体的には、図２に模式的に示すとおり、時間の経過とともに消費された酸素が包装体の酸素透過度の値に応じて一定の平衡値に達し、また、時間の経過とともに排出された二酸化炭素も包装体の二酸化炭素透過度の値に応じて一定の平衡値に達し、これにより青果物を酸欠状態にせず、かつ低呼吸状態（冬眠状態）とすることができる。
【００１９】
（酸素透過度）
ガス透過制御フィルムの２３℃における酸素透過度は、２×１０3〜７×１０5ｃｃ／ｍ2・ｄａｙ・ａｔｍであり、好ましくは２．５×１０3〜４×１０5ｃｃ／ｍ2・ｄａｙ・ａｔｍであり、より好ましくは３×１０3〜２×１０5ｃｃ／ｍ2・ｄａｙ・ａｔｍである。２３℃における酸素透過度が、２×１０3ｃｃ／ｍ2・ｄａｙ・ａｔｍ以上であることにより、包装体内の酸欠状態を防止することができ、最低限の酸素をバッファー空間より包装体内に供給できる。また、２３℃における酸素透過度が、７×１０5ｃｃ／ｍ2・ｄａｙ・ａｔｍ以下であることにより、包装体内の酸素濃度を、呼吸抑制が可能となる、青果物毎に適切な酸素濃度とすることができる。２３℃における酸素透過度は、用いる樹脂の種類及び組成、構造により調整することができる。また、２３℃における酸素透過度は、ＪＩＳ  Ｋ  ７１２６に記載の方法により測定することができる。
【００２０】
（二酸化炭素透過度）
ガス透過制御フィルムの２３℃における二酸化炭素透過度は、４×１０3〜７×１０5ｃｃ／ｍ2・ｄａｙ・ａｔｍであり、好ましくは５×１０3〜４×１０5ｃｃ／ｍ2・ｄａｙ・ａｔｍであり、より好ましくは６×１０3〜２×１０5ｃｃ／ｍ2・ｄａｙ・ａｔｍである。２３℃における二酸化炭素透過度が、４×１０3ｃｃ／ｍ2・ｄａｙ・ａｔｍ以上であることにより、包装体より二酸化炭素がバッファー空間へ透過し、二酸化炭素濃度を低減させ、ガス障害を抑制することができる。また、２３℃における二酸化炭素透過度が、７×１０5ｃｃ／ｍ2・ｄａｙ・ａｔｍ以下であることにより、包装体内の二酸化炭素をより高濃度で保持でき、呼吸を抑制し、青果物の鮮度を保持することができる。２３℃における二酸化炭素透過度は、用いる樹脂の種類及び組成、構造により調整することができる。また、２３℃における二酸化炭素透過度は、ＪＩＳ  Ｋ  ７１２６に記載の方法により測定することができる。
【００２１】
酸素透過度に対する二酸化炭素透過度の比は、１０以下であり、好ましくは１．０〜９．０であり、より好ましくは１．５〜５．０である。酸素透過度に対する二酸化炭素透過度の比が、１０以下であることにより、包装体内を低酸素濃度に維持し、適宜、二酸化炭素を排出することができる。また、酸素透過度に対する二酸化炭素透過度の比が、１．０以上であることにより、酸素濃度を適宜維持し、酸欠によるガス障害を防止する事ができる。なお、ガス透過制御フィルムが孔を有する場合には、見かけの酸素透過度Ｔ（Ｏ2）と見かけの二酸化炭素透過度Ｔ（ＣＯ2）の比として、上記比を算出することができる。
【００２２】
さらに、前述の酸素透過度に対する二酸化炭素透過度の比は、包装体１０１と保存部１０２の組み合わせで、考えることができる（以下、「酸素透過度に対する二酸化炭素透過度の比」を単に「比率」ともいう）。例えば、包装体１０１の比率が１．０〜４．０の場合、保存部１０２の比率を４．０〜１０と組み合わせて、バッファー空間の酸素濃度低めに制御し、結果として、包装体内の酸素濃度を低濃度で制御することができる。
【００２３】
逆に、包装体１０１の比率が４．０〜１０．０の場合、保存部１０２の比率に１．０〜４．０を用いる事で、包装体１０１内の二酸化炭素を排出し、高濃度二酸化による障害を抑制ならびに適切な二酸化炭素濃度を維持することができる。
【００２４】
さらに、青果物の最適保存ガス濃度と呼吸速度、仕込み量、容積の関係から、包装体１０１が１．０〜３．０、保存部１０２が１．１〜５．０の組み合わせや、その逆の組み合わせ用いることもできる。
【００２５】
（水蒸気透過度）
ガス透過制御フィルムの２３℃における水蒸気透過度は、好ましくは２〜２００ｍｇ／ｄａｙ・ｍ2であり、より好ましくは３〜５０ｍｇ／ｄａｙ・ｍ2であり、さらに好ましくは４〜３０ｍｇ／ｄａｙ・ｍ2である。２３℃における水蒸気透過度が２ｍｇ／ｄａｙ・ｍ2以上であることにより、包装体内に結露水が溜まりにくく、結果として、とろけ等の青果物変質を抑制することができる。また、２３℃における水蒸気透過度が２００ｍｇ／ｄａｙ・ｍ2以下であることにより、青果物からの過剰な蒸散を抑制し、その結果、乾燥を防止することができる。２３℃における水蒸気透過度は、用いる樹脂の種類及び組成、構造により調整することができる。また、２３℃における水蒸気透過度は、ＪＩＳ  Ｋ  ７１２９により測定することができる。
【００２６】
（構成）
ガス透過制御フィルムは、単層フィルム、内側層と外側層とを有する２層フィルム、内側層と中間層と外側層とを有する３層フィルムなどの積層フィルムであってもよい。ガス透過制御フィルムが単層フィルムである場合に当該層を構成する樹脂としては、特に制限されないが、例えば、ポリオレフィン系樹脂、ポリエステル系樹脂、ポリアミド系樹脂、ポリスチレン系樹脂等が挙げられる。このような樹脂を用いることにより、酸素透過性、二酸化炭素透過性、及び水蒸気透過性を調整することができる。このなかでも、ポリオレフィン系樹脂、ポリエステル系樹脂、ポリスチレン系樹脂、ポリアミド系樹脂が好ましい。なお、樹脂としては、１種単独で用いても、２種以上を併用してもよい。
【００２７】
ポリオレフィン系樹脂のうち、ポリプロピレン系フィルムは、例えば、酸素透過度２×１０3〜７×１０3ｃｃ／ｍ2・ｄａｙ・ａｔｍ、二酸化炭素透過度７×１０3〜４×１０4ｃｃ／ｍ2・ｄａｙ・ａｔｍを有し、ポリエチレン系フィルムは、例えば、酸素透過度３×１０3〜３×１０4ｃｃ／ｍ2・ｄａｙ・ａｔｍ、二酸化炭素透過度１×１０4〜８×１０4ｃｃ／ｍ2・ｄａｙ・ａｔｍを有する。また、ポリスチレン系フィルムは、例えば、酸素透過度２×１０4〜１×１０5ｃｃ／ｍ2・ｄａｙ・ａｔｍ、二酸化炭素透過度４×１０4〜５×１０5ｃｃ／ｍ2・ｄａｙ・ａｔｍを有する。上記は一例であり、各樹脂からなるフィルムの酸素透過度及び二酸化炭素透過度は上記に限定されるものではなく、樹脂の分子量若しくはモノマー比率、又は、フィルムの厚さ層の構成などにより酸素透過度及び二酸化炭素透過度は適宜調整することができる。
【００２８】
また、ポリエステル系フィルムは、例えば、水蒸気透過度２０〜４０ｇ／ｄａｙ・ｍ2を有し、ポリアミド系フィルムは、例えば、水蒸気透過度１００〜２００ｇ／ｄａｙ・ｍ2を有する。
【００２９】
また、レーザー加工や針孔加工等による微孔や開孔加工によるパンチ穴を設けることによって（まとめて、「孔」ともいう。）、ガス透過制御フィルムの酸素透過度及び二酸化炭素透過度を制御してもよい。微孔の孔径は、好ましくは０．５〜１００μｍであり、より好ましくは１〜１０μｍ又は１５〜８０μｍである。この微孔の孔径は、単独であっても、大小の孔径の微孔を組み合わせて用いてもよい。また、パンチ穴の孔径は、好ましくは１〜１０ｍｍである。このような孔を設けることにより、ポリエステル系フィルムやポリアミド系フィルムも酸素透過度２×１０3ｃｃ／ｍ2・ｄａｙ・ａｔｍ以上、二酸化炭素透過度４×１０3ｃｃ／ｍ2・ｄａｙ・ａｔｍ以上として用いることができる。
【００３０】
さらに、ガス透過制御フィルムは、単層フィルム又は積層フィルムに紙や不織布等の繊維構造体を部分的に貼りあわせたものであってもよいし、繊維構造体をガス透過制御フィルムとして用いたものであってもよい。
【００３１】
繊維構造体を用いたガス透過制御フィルムのフラジール通気度は、好ましくは０．１〜８００ｃｍ3／ｃｍ2・ｓｅｃであり、より好ましくは０．３〜５００ｃｍ3／ｃｍ2・ｓｅｃであり、さらに好ましくは１〜３０ｃｍ3／ｃｍ2・ｓｅｃである。フラジール通気度が０．１ｃｍ3／ｃｍ2・ｓｅｃ以上であることにより、包装体内とのガス透過を促進させ、ガス障害を抑制できる傾向にある。また、フラジール通気度が８００ｃｍ3／ｃｍ2・ｓｅｃ以下であることにより、包装体内の青果物の乾燥抑制や鮮度保持がより向上する傾向にある。フラジール通気度は、繊維径や繊維の密度で調整することができる。また、フラジール通気度は、ＪＩＳ  Ｌ  １０９６のＡ法に準じ、圧力差１２５Ｐａで測定することができる。
【００３２】
上記繊維構造体として用い得る不織布としては、短繊維不織布と長繊維不織布を用いることができる。短繊維不織布としては、特に制限されないが、例えば、ケミカルボンド不織布（ＣＢ）、サーマルボンド不織布（ＴＢ）、ニードルパンチ不織布（ＮＰ）、スパンレース不織布（ＳＬ）などが挙げられる。また、長繊維不織布としては、特に制限されないが、例えば、スパンボンド不織布（ＳＢ）、メルトブロー不織布（ＭＢ）などが挙げられる。不織布を構成する繊維としては、特に制限されないが、例えば、ポリエチレン系樹脂繊維、ポリプロピレン系樹脂、ポリエステル系樹脂、ポリアミド系樹脂などを原材料とする繊維が挙げられる。
【００３３】
また、ガス透過制御フィルムが積層フィルムである場合には、少なくとも一つの層が上記単層フィルムである場合と同様の構成を有することが好ましい。以下、単層フィルム又は積層フィルムの各層を構成する樹脂種について説明する。
【００３４】
（ポリオレフィン系樹脂）
ポリオレフィン系樹脂としては、特に限定されないが、例えば、低密度ポリエチレン、線状低密度ポリエチレン、高密度ポリエチレン、極低密度ポリエチレン等のポリエチレン；ホモポリプロピレン、及びランダムポリプロピレン等のポリプロピレン；エチレン−アクリル酸エチル共重合体、エチレン−酢酸ビニル共重合体、エチレン−ビニルアルコール共重合体等のオレフィン系共重合体が挙げられる。
【００３５】
ポリエチレンを用いたフィルムとしては、特に限定されないが、例えば、上記ポリエチレンからなるフィルムのほか、シュリンクフィルムなどに用いられる架橋または非架橋ポリエチレンフィルムが挙げられる。
【００３６】
また、ポリプロピレンを用いたフィルムとしては、特に限定されないが、例えば、上記ポリプロピレンからなるフィルムのほか、延伸ポリプロピレンフィルム、無延伸ポリプロピレンフィルム、二軸延伸ポリプロピレンフィルムが挙げられる。
【００３７】
（ポリエステル系樹脂）
ポリエステル系樹脂としては、特に制限されないが、例えば、ポリエチレンテレフタレート、ポリエチレンイソフタレート、ポリブチレンテレフタレート、ポリ（１，４−シクロヘキシレンジメチレンテレフタレート）、ポリエチレン−２，６−ナフタレートが挙げられる。
【００３８】
（ポリアミド系樹脂）
ポリアミド系樹脂としては、特に限定されないが、例えば、ポリカプロアミド（ナイロン６）、ポリドデカンアミド（ナイロン１２）、ポリテトラメチレンアジパミド（ナイロン４６）、ポリヘキサメチレンアジパミド（ナイロン６６）、ポリウンデカメチレンアジパミド（ナイロン１１６）、ポリメタキシリレンアジパミド（ナイロンＭＸＤ６）、ポリパラキシリレンアジパミド（ナイロンＰＸＤ６）、ポリテトラメチレンセバカミド（ナイロン４１０）、ポリヘキサメチレンセバカミド（ナイロン６１０）、ポリデカメチレンアジパミド（ナイロン１０６）、ポリデカメチレンセバカミド（ナイロン１０１０）、ポリヘキサメチレンドデカミド（ナイロン６１２）、ポリデカメチレンドデカミド（ナイロン１０１２）、ポリヘキサメチレンイソフタルアミド（ナイロン６Ｉ）、ポリテトラメチレンテレフタルアミド（ナイロン４Ｔ）、ポリペンタメチレンテレフタルアミド（ナイロン５Ｔ）、ポリ−２−メチルペンタメチレンテレフタルアミド（ナイロンＭ−５Ｔ）、ポリヘキサメチレンヘキサヒドロテレフタルアミド（ナイロン６Ｔ（Ｈ））ポリノナメチレンテレフタルアミド（ナイロン９Ｔ）、ポリデカメチレンテレフタルアミド（ナイロン１０Ｔ）、ポリウンデカメチレンテレフタルアミド（ナイロン１１Ｔ）、ポリドデカメチレンテレフタルアミド（ナイロン１２Ｔ）、ポリビス（３−メチル−４−アミノヘキシル）メタンテレフタルアミド（ナイロンＰＡＣＭＴ）、ポリビス（３−メチル−４−アミノヘキシル）メタンイソフタルアミド（ナイロンＰＡＣＭＩ）、ポリビス（３−メチル−４−アミノヘキシル）メタンドデカミド（ナイロンＰＡＣＭ１２）、ポリビス（３−メチル−４−アミノヘキシル）メタンテトラデカミド（ナイロンＰＡＣＭ１４）等が挙げられる。
【００３９】
（ポリスチレン系樹脂）
ポリスチレン系樹脂としては、特に制限されないが、例えば、ポリスチレン単独重合体、アクリロニトリル・アクリルゴム・スチレン共重合樹脂、アクリロニトリル・ブタジエン・スチレン共重合体、アクリロニトリル・塩素化ポリエチレン・スチレン共重合体、アクリロニトリル・エチレンプロピレンゴム・スチレン共重合体、アクリロニトリル・スチレン共重合体、シンジオタクチックポリスチレン（結晶性ポリスチレン）が挙げられる。
【００４０】
（引張弾性率）
ガス透過制御フィルムの引張弾性率は、好ましくは１ＧＰａ以上であり、より好ましくは１．５〜５ＧＰａであり、さらに好ましくは２．０〜４ＧＰａである。引張弾性率が１ＧＰａ以上であることにより、青果物を包装した場合、直接接触する部分が少なくなり、特に、にらやホウレンソウ等の葉物野菜やブロッコリーやアスパラガス等の呼吸速度が早く蒸散量が多い青果物の保存において、結露水によるとろけの発生を抑制することができる。なお、引張弾性率は、ＪＩＳ  Ｋ  ７１２７に準拠し、速度２００ｍｍ／ｍｉｎで、２％歪み時の値として測定することができる。このような引張弾性率を有するフィルムとしては、二軸延伸ポリエチレンテレフタレートフィルム、二軸延伸ポリプロピレンフィルム、二軸延伸ポリアミドフィルムの単層フィルム、又は、これらフィルムを少なくとも一層含む積層フィルムが好適に用いられる。
【００４１】
（その他の添加剤）
ガス透過制御フィルムを構成する層は、必要に応じて、公知の可塑剤、熱安定剤、着色剤、有機系滑剤、無機系滑剤、界面活性剤、加工助剤等その他の添加剤を含んでいてもよい。また、結露水対応として、防曇剤を含有してもよい。
【００４２】
ガス透過制御フィルムの製造方法としては、公知のフィルム成形方法を用いることができる。例えば、樹脂組成物を、押出機などを用いて、溶融混練によって押し出し、単層もしくは多層の円環状ダイまたはスリット状の吐出口部をもつＴダイなどを用いてシート状に押し出し、インフレ―ション法やキャスト法で、ガス透過制御フィルムを成形することができる。また、この後、バブル法、ロール延伸法、テンター法により延伸をしたフィルムをガス透過制御フィルムとして用いてもよい。さらに、未延伸又は延伸フィルムをドライラミ法やウェットラミ法など公知の方法で多層化してもよいし、これらフィルムに対して、部分的に不織布を貼りあわせたり、孔を設けたりしたものをガス透過制御フィルムとして用いてもよい。
【００４３】
〔保存部〕
保存部１０２は、１又は複数の包装体１０１を収容するためのものであり、青果物は包装体１０１の中で鮮度が制御された状態で保存される。保存部１０２は、包装体１０１を収容するのに適した構成とすることができ、例えば、保存部１０２の中には、包装体１０１と共に包装体１０１に収容された青果物を保護する目的で公知の緩衝材が収容されていてもよい。また、保存部１０は、包装体１０１を出し入れするための蓋部や、保存部１０内の温度を測定するための温度計、保存部１０内の気体を冷却可能なクーラー及び／又は加温可能なヒーターを有していてもよい。
【００４４】
また、保存部１０２は気体組成が重要であることから、バリア機能を有している方がより好ましい。以下、好ましいバリア特性の指標について記載する。
【００４５】
保存部１０２の２３℃における酸素透過度は、好ましくは２×１０3〜７×１０5ｃｃ／ｍ2・ｄａｙ・ａｔｍであり、より好ましくは、包装体との組み合わせに応じて、２×１０3〜１×１０4、１×１０4〜１×１０5、１×１０5〜７×１０5ｃｃ／ｍ2・ｄａｙ・ａｔｍであり、さらに好ましくは３×１０3〜８×１０3、２×１０4〜８×１０4、２×１０5〜５×１０5ｃｃ／ｍ2・ｄａｙ・ａｔｍである。２３℃における酸素透過度が、２×１０3ｃｃ／ｍ2・ｄａｙ・ａｔｍ以上であることにより、バッファー空間に必要最低限の酸素を透過させ、包装体内の酸欠を間接的に抑制することができる。また、２３℃における酸素透過度が、７×１０5ｃｃ／ｍ2・ｄａｙ・ａｔｍ以下であることにより、青果物の呼吸抑制に適した酸素濃度への制御をより適切に行うことができる。２３℃における酸素透過度は、用いる材質、厚み、構造により調製することができる。また、２３℃における酸素透過度は、ＪＩＳ  Ｋ  ７１２６に記載の方法により測定することができる。
【００４６】
保存部１０２の２３℃における二酸化炭素透過度は、好ましくは４×１０3〜７×１０5ｃｃ／ｍ2・ｄａｙ・ａｔｍである、より好ましくは包装体との組み合わせに応じて、５×１０3〜２×１０4、２×１０4〜１×１０5、１×１０5〜５×１０5ｃｃ／ｍ2・ｄａｙ・ａｔｍであり、さらに好ましくは６×１０3〜１×１０4、４×１０4〜８×１０4、２×１０5〜４×１０5ｃｃ／ｍ2・ｄａｙ・ａｔｍである。２３℃における二酸化炭素透過度が、４×１０3ｃｃ／ｍ2・ｄａｙ・ａｔｍ以上であることにより、バッファー空間の二酸化炭素を外気に透過させ、包装体内の高濃度二酸化炭素によるガス障害を抑制することができる。また、２３℃における二酸化炭素透過度が、７×１０5ｃｃ／ｍ2・ｄａｙ・ａｔｍ以下であることにより、バッファー空間の二酸化炭素濃度を保持することで間接的に包装体内の二酸化炭素濃度を保持し、青果物の呼吸を抑制することができる。２３℃における二酸化炭素透過度は、用いる材質、構造により調製することができる。また、２３℃における二酸化炭素透過度は、ＪＩＳ  Ｋ  ７１２６に記載の方法により測定することができる。
【００４７】
以下、保存部１０２の酸素透過度と二酸化炭素透過度の組み合わせを例示する。保存部１０２の酸素透過度と二酸化炭素透過度は、上述した包装体１０１で用いる樹脂の特性により調整してもよいし、また、保存部１０２に孔を設けたり、織布、不織布、紙材などの比較的に透過性の良い素材を適宜組み合わせることにより調整してもよい。
【表１】
2019004724.tif 000003
【００４８】
このような保存部１０２を前述した包装体１０１とを組み合わせることで、多様な青果物の鮮度保持に対応することが可能となる。例えば、本実施形態の保存装置は一般的に呼吸速度が早いとされる、茎類（アスパラガス、タケノコ等）、つぼみ類（ブロッコリー、カリフラワー、みょうが等）、実類（各種果実、イチゴ、スイートコーン、トマト、枝豆、ピーマン、なす、きゅうり、さやいんげん、オクラ等）、葉類（にら、ほうれんそう、こまつな、青梗菜、レタス、ねぎ、たまねぎ等）に好適に用いられる。また、保存中の湿度の影響でカビが生えやすい、根菜類（イモ類、れんこん、等）においても防カビの観点から好適に用いられる。
【００４９】
保存部１０２には、保存部１０２内にガスを供給するガス供給部１０３と、保存部１０２からガスを排出するガス排出部１０４が接続されており、保存部１０２の中の雰囲気は、ガス供給部１０３及びガス排出部１０４により制御される。その種類により異なるが、青果物は所定の気体を吸収したり排出したりする。そのため、青果物の保存時に保存部１０２内の雰囲気を調製したとしても、包装体１０１内及び保存部１０２の雰囲気は経時的に変化し得る。ここにおいて、ガス供給部１０３及びガス排出部１０４を用いて、継続的又は断続的に保存部１０２内の雰囲気を循環させることにより、保存部１０２内の雰囲気を所望の範囲に制御することができる。保存部１０２の気体組成は、包装体１０２の気体透過特性に応じて間接的に包装体１０２内の気体組成にも影響する。なお、保存部１０２におけるガス供給部１０３及びガス排出部１０４の設置位置は特に制限されないが、保存部１０２内の雰囲気を制御するという観点からは、ガス供給部１０３及びガス排出部１０４が共に近接する位置にないほうが好ましい。例えば、直方体の保存部１０２においては、ガス供給部１０３及びガス排出部１０４の一方を底面に設け、もう一方を頂面に設けてもよいし、ガス供給部１０３及びガス排出部１０４の一方を側面に設け、もう一方を別の側面に設けてもよいし、ガス供給部１０３及びガス排出部１０４の一方を頂面又は底面に設け、もう一方を側面に設けてもよいし、ガス供給部１０３及びガス排出部１０４の両方を頂面、底面、又は側面に設けてもよい。
【００５０】
なお、バッファー空間には、バッファー空間及び包装体内の酸素及び二酸化炭素の比率をより恣意的に調整するために、酸素吸収剤又は二酸化炭素発生剤を備えてもよい。
【００５１】
酸素吸収剤としては、酸化反応または吸着などにより空気中の酸素を除去する機能を有している物質を用いたものであれば特に制限されない。このような物質としては、例えば、鉄粉、亜鉛、錫粉等の還元性金属粉；活性酸化鉄、酸化第一鉄、四三酸化鉄、酸化セリウム、酸化チタン等の金属低位酸化物；炭化鉄、ケイ素鉄、鉄カルボニル、水酸化第一鉄等の還元性金属化合物；アルカリ金属又はアルカリ土類金属の水酸化物、亜硫酸塩、炭酸塩などの無機系化合物、アスコルビン酸、エリソルビン酸、エルカ酸、及びこれらの塩類；没食子酸；トコフェロールと電子供与物質との組み合わせ；多価フェノールを骨格内に有する高分子化合物、例えば多価フェノール含有フェノール・アルデヒド樹脂；グルコース、フラクトース、ガラクトース、マルトーズ、セロビオース等の糖類と電子供与物質、特に塩基性物質或いはグルコースオキシターゼ等の糖類酸化酵素との組み合わせなどの有機系化合物で例示される従来公知の任意の酸素吸収物質を用いることができる。また、本実施形態においては、酸素吸収剤として、青果物が挙げられる。ここで、酸素吸収剤として青果物を用いる場合には、保存部内には包装体に収容される青果物と、バッファー空間に収容される青果物の２種を用いることとなる。このようにして、呼吸性能の異なる青果物を酸素吸収剤として用いることにより、同時に２種類の青果物の保存が可能となる。これらの酸素吸収剤を小袋等の形状に製袋した通気性のある袋に充填して用いる事や、包装体に直接練り込むとかコーティングすることもできる。
【００５２】
二酸化炭素発生剤としては、反応などにより空気中に二酸化炭素を放出する機能を有している物質を用いたものであれば特に制限されない。このような物質としては、例えば、アルカリ金属もしくはアルカリ土類金属の炭酸塩または重炭酸塩の他、炭酸アンモニウムおよび重炭酸アンモニウムが挙げられる。また、本実施形態においては、二酸化炭素発生剤として、青果物が挙げられる。ここで、二酸化炭素発生剤として青果物を用いる場合には、保存部内には包装体に収容される青果物と、バッファー空間に収容される青果物の２種を用いることとなる。このようにして、呼吸性能の異なる青果物を二酸化炭素発生剤として用いることにより、同時に２種類の青果物の保存が可能となる。これらの二酸化炭素発生剤を小袋等の形状に製袋した通気性のある袋に充填して用いる事や、包装体に直接練り込むとかコーティングすることもできる。なお、青果物は、酸素吸収剤及び二酸化炭素発生剤の両方を兼ねるものとして捉えることもできる。
【００５３】
なお、青果物の冬眠状態に関する酸素及び二酸化炭素のバランスは、青果物の種類に応じて異なり、この範囲においては本実施形態の包装体を適宜調整することができる。
【００５４】
〔ガス供給部及びガス排出部〕
ガス供給部１０３及び／又はガス排出部１０４には、供給ガス量及び排出ガス量を調整するためのバルブが設けられていてもよい。供給ガス量及び排出ガス量の調整は、バルブのようにガス供給部１０３及びガス排出部１０４の外気供給路の径を制御して行ってもよいし、ガス供給部１０３の上流に設けられる送風機や、ガス排出部１０４の下流に設けられる俳風機の風量を制御することにより行ってもよい。また、ガス供給部１０３及び／又はガス排出部１０４は、供給する外気及び／又は排出する内気の組成（ガス種及びその割合）を検出するための検出器を有していてもよい。
【００５５】
ガス供給部１０３は、ガス供給部１０３の上流に設けられた、供給外気を貯留するタンクに接続されていてもよいし、単に保存部外の気体を外気として取り込むことができるように構成されていてもよい。ガス供給部１０３が保存部１０２とタンクを接続するように構成されている場合には、タンクは供給する外気の供給元となる。また、ガス排出部１０４は、ガス排出部１０４の下流に設けられた、排出する内気を貯留するタンクに接続されていてもよいし、排出内気を外気に放出することができるように構成されていてもよい。なお、供給する外気を貯留するタンク及び／又は排出内気を貯留するタンク内には、供給外気及び／又は排出内気の組成（ガス種及びその割合）を検出するための検出器が設けられていてもよい。
【００５６】
また、ガス供給部１０３が単に保存部外の気体を外気として取り込むことができるように構成されている場合、すなわち、ガスが空気である場合には、ガス供給部１０３は、開閉可能な開口であってもよい。例えば、青果物の呼吸により保存部内の酸素濃度が低くなりすぎた場合には、ガス供給部１０３を開いて保存部１０２外部の空気を取り入れるとともに二酸化炭素を排出することができる。この場合には、開閉可能な開口は、ガス供給部１０３及びガス排出部１０４の両方の機能を有するものとなる。
【００５７】
さらに、ガス供給部１０３内には、保存部１０２に供給される前の供給外気を冷却可能なクーラー及び／又は加温可能なヒーターが設けられていてもよい。このような温度調節手段を有することにより、保存部１０２に供給される供給外気の温度を調整することができ、結果として、保存部１０２内の温度を制御することが可能となる。さらに、ガス供給部１０３の上流側に、例えばガスボンベのような各種ガスの供給源、各組成に応じた流量制御器、ガス混合器を用いることもできる。この際、ガス混合精度を高めるために、上流側を部分的に、温度調整をすることができる。
【００５８】
ガス供給部１０３から供給される外気としては、特に限定されないが、例えば、空気、酸素ガス、二酸化炭素ガス、炭酸ガス、窒素ガス、エチレンガス、エタノールガス、及び酢酸エチルガスからなる群より選ばれる少なくとも１種以上が挙げられる。ガスは１種単独のガスであっても、２種以上の混合ガスであってもよい。ガス供給部１０３から供給される外気は、保存する青果物の種類に応じて適宜変更することができる。また、青果物を保存するため、供給部２０から水蒸気も供給することができる。
【００５９】
〔記録部〕
記録部１０５は、青果物の鮮度を経時的に記録する。青果物の鮮度は、包装体内の気体組成の経時的な変化を経時的に記録する方法Ａ；ガス供給部により供給した供給ガス量とガス排出部により排出した排出ガス量に基づいて青果物が吸収又は放出したガス量を経時的に記録する方法Ｂ；青果物が放出する特定のガスと反応する指示薬を用いて青果物が放出するガス種及び／又はガス量を検出し、それを経時的に記録する方法Ｃ；赤外光を青果物に照射して、赤外光吸収スペクトルを経時的に記録することにより、青果物の糖度を検出し、それを経時的に記録する方法Ｄ；青果物の可視光透過光量で鮮度を検出し、それを経時的に記録する方法Ｅ；青果物の外観上の色の変化を色差計やカメラを用いて検出し、それを経時的に記録する方法Ｆなどにより、検出し、記録することができる。青果物の鮮度を検出する検出部、及び青果物の鮮度を記録する記録部は、上記各方法によりそれぞれ異なる。なお、記録部１０５が記録するガスの種類は、空気、酸素ガス、二酸化炭素ガス、炭酸ガス、窒素ガス、及びエチレンガスからなる群より選ばれる少なくとも１種以上が挙げられる。
【００６０】
例えば、方法Ａにおいては、包装体内に設置された酸素濃度計や二酸化炭素濃度計等の検出部と、包装体内の気体組成を経時的に記録することにより、青果物の鮮度を経時的に記録する記録部とが用いられる。
【００６１】
また、方法Ｂにおいては、ガス供給部により供給した供給ガス量とガス排出部により排出した排出ガス量の両方を検出する検出部と、ガス供給部により供給した供給ガス量とガス排出部により排出した排出ガス量に基づいて青果物が吸収又は放出したガス量を経時的に記録することにより、青果物の鮮度を経時的に記録する記録部とが用いられる。方法Ｂにおいては、青果物が吸収又は放出したガス量をガスの種類毎に経時的に記録することが好ましい。記録部１０５に記録されるデータは、特に限定されないが、例えば、青果物が吸収又は放出したガスの経時的な量、青果物が吸収又は放出したガスの総量、青果物が吸収又は放出したガスの種類毎の経時的な量、青果物が吸収又は放出したガスの種類ごとの総量である。
【００６２】
また、方法Ｃにおいては、指示薬を用いて青果物が放出するガス種及び／又はガス量を検出する検出部と、これらを記録する記録部とが用いられる。
【００６３】
さらに、方法Ｄにおいては、赤外光を青果物に照射し、その赤外光吸収スペクトルを検出する検出部と、赤外光を青果物に照射して得られる赤外光吸収スペクトルを経時的に記録することにより、青果物の鮮度を経時的に記録する記録部とが用いられる。
【００６４】
また、方法Ｅにおいては、可視光を青果物に照射し、その透過光量を検出する検出部と、可視光を青果物に照射して得られる透過光量を経時的に記録することにより、青果物の鮮度を経時的に記録する記録部とが用いられる。
【００６５】
さらに、方法Ｆにおいては、青果物の外観上の色の変化を検出する色差計やカメラ等の検出部と、それを経時的に記録する記録部が用いられる。
【００６６】
また、記録部１０５は、保存部１０２内及び／又は包装体１０１内の温度を経時的に記録することもできる。具体的には、記録部１０５は、ガス供給部１０３及び／又はガス排出部１０４に設けられた検出器や、ガス供給部１０３の上流に設けられた供給外気を貯留するタンク内に設けられた検出器により検出された、供給外気及び／又は排出内気の組成（ガス種及びその割合）及びガス量を記録するように構成することができる。また、記録部１０５は、保存部１０２内に設けられた温度計により測定された温度を記録するように構成することもできる。
【００６７】
〔制御部〕
制御部１０６は、記録部１０５により記録された青果物の鮮度に基づいて、保存部１０２内の気体組成及び／又は温度を経時的に制御する。制御部１０６が行う制御は、青果物の鮮度を制御しつつ保存するために行うものである。また、制御部１０６は、保存部１０２内の気体組成及び／又は温度を経時的に制御することにより、包装体１０１内の気体組成及び／又は温度を経時的に制御するものであってもよい。
【００６８】
青果物の鮮度は、包装体１０１及び／又は保存部１０２内の温度の調整や、青果物が保存される雰囲気、青果物が吸収・排出するガス量を調整することにより制御することができる。例えば、低温で、かつ、青果物が低呼吸状態（冬眠状態）になるような状態で、青果物を保存することにより、青果物の保存期間を長期化させることができる。青果物の鮮度に関する温度及び雰囲気は、青果物の種類に応じて異なり、適宜調整することができる。
【００６９】
青果物の鮮度の具体的な制御方法の例として、制御部１０６は、消費者に届けられるまでの間に、青果物の低呼吸状態（冬眠状態）がより長期となるように、保存部１０２内の気体組成及び／又は温度を経時的に制御することができる。また、消費者に届けられるまでの間に、青果物が吸収又は放出したガス量が所定量となるよう（成熟が進みすぎることによる鮮度低下を抑制するよう）、保存部１０２内の気体組成及び／又は温度を経時的に制御することができる。
【００７０】
〔青果物の前処理方法〕
本実施形態を用いて保存する青果物は、保存処理を行う前に、殺菌等の前処理を行うことができる。殺菌方法としては、液体、気体、または、光や熱を用いて殺菌することができる。
【００７１】
前処理においては、殺菌剤、防カビ剤、天然系抽出物、合成保存料等を用いてもよい。殺菌剤としては、特に限定されないが、例えば、次亜塩素酸水、次亜塩素酸Ｎａ、次亜塩素酸Ｃａ、電解次亜水、二酸化塩素、Ｏ3等を用いることができる。また、防カビ剤としては、特に限定されないが、例えば、アゾキシストロビン、イマサザル、オルトフェニルフェノール、オルトフェニルフェノールナトリウム、ジフェニル、チアベンダゾール、フルジオキソニル等を用いることができる。さらに、天然系抽出物としては、特に限定されないが、例えば、カワラヨモギ抽出物（カピリン）、カラシ抽出物（イソチオシアヌレート）、ヒノキチオール抽出物（β―ツヤプリシン）等を用いることができる。また、合成保存料としては、特に限定されないが、例えば、パラオキシ安息香酸エステル類、亜硫酸Ｎａ、次亜硫酸Ｎａ、二酸化硫黄、ピロ亜硫酸Ｋ、ピロ亜硫酸Ｎａ等を用いることができる。
【００７２】
光を用いる殺菌方法として、赤外線や紫外線を用いる方法、特に、ＵＶ−Ｃ波長帯と言われる、波長２００−３００ｎｍの紫外線、好ましくは、２５０−２８０ｎｍの紫外線によって、殺菌処理を行うことができる。この際、光源としては水銀灯や放電光源、ＬＥＤを用いることができ、さらに、必要に応じて、パルス照射や連続照射を行うことができる。上記添加剤による殺菌よりも、照射による上記殺菌方法の方が好ましく、殺菌効果の点からＵＶ−Ｃ波長帯を有する紫外線による殺菌がより好ましい。具体的には、青果物をトレーに載せ、照射しながら、殺菌することができる。なお、青果物を保存するために用いられる箱を保存部１０２が、光を用いる殺菌を備えていてもよい。
【００７３】
〔青果物の保存方法〕
本実施形態の青果物の保存方法は、包装体内に収容された状態で保存部に収容された青果物の鮮度を経時的に記録する記録工程と、記録された前記青果物の前記鮮度に基づいて、前記保存部内の気体組成及び／又は温度を経時的に制御する制御工程と、を有する。
【００７４】
この際、上記、殺菌、防カビ剤を一緒に供給することもできる。さらに、青果物の褐変を抑制する、抗酸化剤や水素等の気体を供給することもできる。
【００７５】
記録工程は、青果物の鮮度を経時的に記録する工程であり、上記方法Ａ〜Ｆを利用するものであってもよい。例えば、記録工程は、青果物の包装体内の気体組成の経時的な変化に基づいて、青果物の鮮度を経時的に記録する工程とすることができる。
【００７６】
また、記録工程が、保存部に供給した供給ガス量と保存部から排出した排出ガス量に基づいて青果物が吸収又は放出したガス量を経時的に記録することにより、前記青果物の前記鮮度を経時的に記録する工程である場合、青果物が吸収又は放出したガスとしては、特に限定されないが、例えば、炭酸ガス、酸素ガス、窒素ガス、エチレンガス、エタノールガス、酢酸エチルガス、水蒸気からなる群より選ばれる少なくとも１種以上が挙げられる。ガスは１種単独のガスであっても、２種以上の混合ガスであってもよい。記録工程においては、ガスの種類毎に、青果物が吸収又は放出したガス量を経時的に記録してもよい。また、記録工程において、保存部内の温度も経時的に記録してもよい。
【００７７】
制御工程においては、青果物の鮮度に基づいて、保存部内の気体組成及び／又は温度を経時的に制御する。この際に、保存部内の気体組成及び／又は温度を経時的に制御することにより、包装体内の気体組成及び／又は温度を経時的に制御してもよい。
【００７８】
なお、上述したとおり、本発明は、上記の実施の形態、及び、既に述べた変形例に限定されるものではなく、その要旨を逸脱しない範囲内において様々な変形が可能である。すなわち、上記実施形態はあらゆる点で単なる例示にすぎず、限定的に解釈されるものではない。
【００７９】
例えば、記録部１０５は、ガス供給部により供給した供給ガス量とガス排出部により排出した排出ガス量に基づいて青果物が吸収又は放出したガス量を経時的に記録するものの他、指示薬を用いて検出された青果物が放出するガス種及び／又はガス量を記録する記録部であってもよいし、赤外光を青果物に照射して得られる赤外光吸収スペクトルを経時的に記録することにより、青果物の鮮度を経時的に記録する記録部であってもよいし、可視光を青果物に照射して得られる透過光量を経時的に記録することにより、青果物の鮮度を経時的に記録する記録部であってもよいし、色差計やカメラ等により検出された青果物の外観上の色の変化を記録することにより、青果物の鮮度を経時的に記録する記録部であってもよい。
【００８０】
さらに、検出器は、ガス供給部により供給した供給ガス量とガス排出部により排出した排出ガス量の両方を検出する検出器の他、指示薬を用いて青果物が放出するガス種及び／又はガス量を検出する検出器であってもよいし、赤外光を青果物に照射し、その赤外光吸収スペクトルを検出する検出器であってもよいし、可視光を青果物に照射し、その透過光量を検出する検出器であってもよいし、青果物の外観上の色の変化を検出する色差計やカメラ等の検出器であってもよい。
【００８１】
これら検出器の設置位置は、特に制限されず、各検出器の検出方法に適するように設けることができ、各検出器の検出方法に応じて保存部１０２に保存された青果物の鮮度を検出できるように設けられていればよい。具体的には、指示薬を用いて青果物が放出するガス種及び／又はガス量を検出する検出器は、保存部１０２及び／又はガス排出部１０４に設置することができ、赤外光を青果物に照射しその赤外光吸収スペクトルを検出する検出器、可視光を青果物に照射しその透過光量を検出する検出器、及び青果物の外観上の色の変化を検出する色差計やカメラ等の検出器は、保存部１０２に設置することができる。
【００８２】
各種検出器の構成は、特に制限されず、各検出器の検出方法に適するように構成することができる。具体的には、指示薬を用いて青果物が放出するガス種及び／又はガス量を検出する検出器は、指示薬を保持する指示薬保持部と、当該指示薬の変化を検知する検知部を有することができる。また、赤外光を青果物に照射しその赤外光吸収スペクトルを検出する検出器は、赤外光照射部と、赤外光検出部とを有することができる。さらに、可視光を青果物に照射しその透過光量を検出する検出器は、可視光照射部と、可視光検出部とを有することができる。また、青果物の外観上の色の変化を検出する検出器は、色差計やカメラ等を備えることができる。
【００８３】
各種検出器は、それぞれ検出した青果物の鮮度に関するデータを記録部１０５に記録できるよう記録部と接続されており、また、青果物の鮮度に関するデータを記録する記録部１０５は、供給ガス量及び／又は保存部１０２内の温度を経時的に制御する制御部１０６と接続される。制御部１０６においては、青果物の鮮度に関するデータに基づいて、供給ガス量及び／又は保存部１０２内の温度を経時的に制御し、これにより、青果物の鮮度を制御しつつ、保存することが可能となる。
【００８４】
各種検出器が検出するデータは、青果物の鮮度に関するデータという点で共通しており、本実施形態においては、１種の検出器及びそれに相応する記録部を有していてもよいし、２種以上の検出器及びそれに相応する記録部を有していてもよい。
【産業上の利用可能性】
【００８５】
本発明の青果物の保存装置及び保存方法は、青果物の鮮度を制御しつつ、保存する技術として産業上の利用可能性を有する。
【符号の説明】
【００８６】
１００…青果物の保存装置、１０１…包装体、１０２…保存部、１０３…ガス供給部、１０４…ガス排出部、１０５…記録部、１０６…制御部、１０７…バッファー空間
【図１】
2019004724.tif 000004
【図２】
2019004724.tif 000005